(57)【要約】      （修正有）【課題】ＭＰＵにとっての処理の負荷が大きく、ＭＰＵが処理に長い時間を要した。【解決手段】データ処理装置ＤＰ１では、ＦｅＲＡＭ１ｂが、第１のテーブルＴ１及び第２のテーブルＴ２を記憶している。ＭＰＵ１ａは、第１のテーブルＴ１を参照することにより色データを取得し、また、投射補正については、第２のテーブルＴ２を参照することにより、最終的な色データを取得する。ＭＰＵ１ａは、フィルタリングに関する演算処理及び投射補正に関する演算処理を行う必要が無いことから、従来に比して、ＭＰＵ１ａが担うべき処理の負荷を軽減し、また、その処理時間を短縮することが可能となる。【選択図】図１
2008233464.tif 000002
【特許請求の範囲】
【請求項１】
強誘電体メモリと、実行部とを含むデータ処理装置であって、
［Ｉ］前記強誘電体メモリは、
［１］各対応関係が、一の時刻（ｔ）における、
［１ａ］第１の色データＲ（ｔ）、Ｇ（ｔ）、Ｂ（ｔ）を構成するための複数の色サブデータＲＳ（ｔ）、ＧＳ（ｔ）、ＢＳ（ｔ）と、
［１ｂ］当該複数の色サブデータＲＳ（ｔ）、ＧＳ（ｔ）、ＢＳ（ｔ）についての、第１の処理のための複数の補正量ＲＳＣ（ｔ）、ＧＳＣ（ｔ）、ＢＳＣ（ｔ）と、
［１ｃ］前記複数の色サブデータＲＳ（ｔ）、ＧＳ（ｔ）、ＢＳ（ｔ）と前記複数の補正量ＲＳＣ（ｔ）、ＧＳＣ（ｔ）、ＢＳＣ（ｔ）とにより特定される、前記第１の色データＲ（ｔ）、Ｇ（ｔ）、Ｂ（ｔ）に前記第１の処理が施された結果である第２の色データＲＦ（ｔ）、ＧＦ（ｔ）、ＢＦ（ｔ）との対応を表す複数の対応関係を規定する第１のテーブルを記憶しており、
［２］各対応関係が、前記一の時刻（ｔ）における、
［２ａ］［２ａ（１）］前記第２の色データＲＦ（ｔ）、ＧＦ（ｔ）、ＢＦ（ｔ）と、
［２ａ（２）］前記一の時刻（ｔ）に先立つ他の時刻（ｔ−１）における、第３の色データＲ（ｔ−１）、Ｇ（ｔ−１）、Ｂ（ｔ−１）に前記第１の処理が施された結果である第４の色データＲＦ（ｔ−１）、ＧＦ（ｔ−１）、ＢＦ（ｔ−１）と、当該第４の色データに第２の処理が施された結果である第５の色データＲＦｒｆ（ｔ−１）、ＧＦｒｆ（ｔ−１）、ＢＦｒｆ（ｔ−１）との間の誤差ＲＦＣ（ｔ−１）、ＧＦＣ（ｔ−１）、ＢＦＣ（ｔ−１）とにより定まる、前記一の時刻（ｔ）における、前記第２の処理が施される前の第６の色データＲＦｃｒ（ｔ）、ＧＦｃｒ（ｔ）、ＢＦｃｒ（ｔ）と、
［２ｂ］前記第６の色データＲＦｃｒ（ｔ）、ＧＦｃｒ（ｔ）、ＢＦｃｒ（ｔ）に前記第２の処理が施された結果である第７の色データＲＦｒｆ（ｔ）、ＧＦｒｆ（ｔ）、ＢＦｒｆ（ｔ）と、
［２ｃ］前記第６の色データＲＦｃｒ（ｔ）、ＧＦｃｒ（ｔ）、ＢＦｃｒ（ｔ）と、前記第７の色データＲＦｒｆ（ｔ）、ＧＦｒｆ（ｔ）、ＢＦｒｆ（ｔ）との間での、前記第２の処理に関する補正量ＲＦＣ（ｔ）、ＧＦＣ（ｔ）、ＢＦＣ（ｔ）と、の対応関係を表す複数の対応関係を規定する第２のテーブルと、を記憶しており、
［ＩＩ］前記実行部は、
［１］［１ａ］第１の時刻（ｎ）（ｎ≦ｔ）での第１の色データＲ（ｎ）、Ｇ（ｎ）、Ｂ（ｎ）を構成するための複数の色サブデータＲＳ（ｎ）、ＧＳ（ｎ）、ＢＳ（ｎ）と、
［１ｂ］当該複数の色サブデータＲＳ（ｎ）、ＧＳ（ｎ）、ＢＳ（ｎ）の前記第１の処理のための複数の補正量ＲＳＣ（ｎ）、ＧＳＣ（ｎ）、ＢＳＣ（ｎ）とに基づき、前記第１のテーブルを参照することにより、
［１ｃ］前記第１の時刻（ｎ）における前記第２のデータＲＦ（ｎ）、ＧＦ（ｎ）、ＢＦ（ｎ）を取得し、
［２］［２ａ］前記第１の時刻（ｎ）での、前記第２のデータＲＦ（ｎ）、ＧＦ（ｎ）、ＢＦ（ｎ）と、前記第１の時刻（ｎ）に先立つ第２の時刻（ｎ−１）における誤差ＲＦＣ（ｎ−１）、ＧＦＣ（ｎ−１）、ＢＦＣ（ｎ−１）とにより定める、当該第１の時刻（ｎ）における第６の色データＲＦｃｒ（ｎ）、ＧＦｃｒ（ｎ）、ＢＦｃｒ（ｎ）と、
［２ｂ］当該第１の時刻（ｎ）における、当該第６の色データＲＦｃｒ（ｎ）、ＧＦｃｒ（ｎ）、ＢＦｃｒ（ｎ）に前記第２の処理が施された第７の色データＲＦｒｆ（ｎ）、ＧＦｒｆ（ｎ）、ＢＦｒｆ（ｎ）とに基づき、前記第２のテーブルを参照することにより、
［２ｃ］前記第２の処理に関する補正量ＲＦＣ（ｎ）、ＧＦＣ（ｎ）、ＢＦＣ（ｎ）を取得し、
［３］前記第６の色データＲＦｃｒ（ｎ）、ＧＦｃｒ（ｎ）、ＢＦｃｒ（ｎ）と、前記第２の処理に関する補正量ＲＦＣ（ｎ）、ＧＦＣ（ｎ）、ＢＦＣ（ｎ）とから、前記第２の処理に関する誤差ΔＲ（ｎ）、ΔＧ（ｎ）、ΔＢ（ｎ）を算出し、
［４］前記第６のデータＲＦｃｒ（ｎ）、ＧＦｃｒ（ｎ）、ＢＦｃｒ（ｎ）から、前記補正量ΔＲ（ｎ）、ΔＧ（ｎ）、ΔＢ（ｎ）を減算することにより、第８の色データＲｅｎ（ｎ）、Ｂｅｎ（ｔ）、Ｇｅｎ（ｔ）を算出することを含むことを特徴とするデータ処理装置。
【発明の詳細な説明】
【技術分野】
【０００１】
本発明は、動画像を構成する複数の画素における色（ＲＧＢ）データの補正のような、データの処理を行うデータ処理装置に関する。
【背景技術】
【０００２】
図５に図示された、処理ユニット１０、投射ユニット２０、及び、検出ユニット３０からなる従来のデータ処理装置ＤＰ１０では、ＭＰＵ１０ａが、図６（Ａ）に図示された時刻ｔ１〜ｔ５での複数の画像ＩＭ１〜ＩＭ５のうち、例えば、時刻ｔ４での画像ＩＭ４中の画素ＰＸ（１、１）、即ち、図６（Ｂ）に図示の構成を有する画素ＰＸ（１、１）における赤データＲ（ｔ４）、緑データＧ（ｔ４）、及び青データＢ（ｔ４）を構成する赤サブデータＲＳ（ｔ４）、緑サブデータＧＳ（ｔ４）、青サブデータＢＳ（ｔ４）を用いて、当該時刻ｔ４で行うべき第１の処理（例えば、フィルタリング）を行うことにより、補正された赤データＲＦ（ｔ４）、緑データＧＦ（ｔ４）、青データＢＦ（ｔ４）（図２に図示されたテーブルＴ１の右欄に相当。）を取得する。
【０００３】
上記した従来のデータ処理装置ＤＰ１０では、また、投射部２０ａが、例えば、時刻ｔ４での画像ＩＭ４中の画素ＰＸ（１、１）における赤データＲ（ｔ４）を、図７に示されるように、スクリーンＳに投射し、即ち、第２の処理を行う。当該処理に引き続き、検出部３０ａが、当該投射の結果として反射される赤データＲｒｆ（ｔ４）を検出する。更に、ＭＰＵ１０ａが、投射した赤データＲ（ｔ４）と反射された赤データＲｒｆ（ｔ４）とを比較することにより、第２の処理である投射に関する補正量を算出し、当該補正量に基づき、当該時刻ｔ４での赤データＲ（ｔ４）、又は、当該時刻ｔ４に引き続く時刻ｔ５での赤データＲ（ｔ５）を補正することにより、スクリーンＳに投射される画像ＩＭ４、ＩＭ５の画質を向上させる。
【発明の開示】
【発明が解決しようとする課題】
【０００４】
しかしながら、上記した従来のデータ処理装置ＤＰ１０では、前記第１の処理での計算、及び、前記第２の処理での計算を、ＭＰＵ１０ａが実際に行うことから、ＭＰＵ１０ａにとっての処理の負荷が大きく、また、ＭＰＵ１０ａが処理に長い時間を要するという問題があった。
【課題を解決するための手段】
【０００５】
本発明に係るデータ処理装置は、上記した課題を解決すべく、
強誘電体メモリと、実行部とを含むデータ処理装置であって、
［Ｉ］前記強誘電体メモリは、
［１］各対応関係が、一の時刻（ｔ）における、
［１ａ］第１の色データＲ（ｔ）、Ｇ（ｔ）、Ｂ（ｔ）を構成するための複数の色サブデータＲＳ（ｔ）、ＧＳ（ｔ）、ＢＳ（ｔ）と、
［１ｂ］当該複数の色サブデータＲＳ（ｔ）、ＧＳ（ｔ）、ＢＳ（ｔ）についての、第１の処理のための複数の補正量ＲＳＣ（ｔ）、ＧＳＣ（ｔ）、ＢＳＣ（ｔ）と、
［１ｃ］前記複数の色サブデータＲＳ（ｔ）、ＧＳ（ｔ）、ＢＳ（ｔ）と前記複数の補正量ＲＳＣ（ｔ）、ＧＳＣ（ｔ）、ＢＳＣ（ｔ）とにより特定される、前記第１の色データＲ（ｔ）、Ｇ（ｔ）、Ｂ（ｔ）に前記第１の処理が施された結果である第２の色データＲＦ（ｔ）、ＧＦ（ｔ）、ＢＦ（ｔ）との対応を表す複数の対応関係を規定する第１のテーブルを記憶しており、
［２］各対応関係が、前記一の時刻（ｔ）における、
［２ａ］［２ａ（１）］前記第２の色データＲＦ（ｔ）、ＧＦ（ｔ）、ＢＦ（ｔ）と、
［２ａ（２）］前記一の時刻（ｔ）に先立つ他の時刻（ｔ−１）における、第３の色データＲ（ｔ−１）、Ｇ（ｔ−１）、Ｂ（ｔ−１）に前記第１の処理が施された結果である第４の色データＲＦ（ｔ−１）、ＧＦ（ｔ−１）、ＢＦ（ｔ−１）と、当該第４の色データに第２の処理が施された結果である第５の色データＲＦｒｆ（ｔ−１）、ＧＦｒｆ（ｔ−１）、ＢＦｒｆ（ｔ−１）との間の誤差ＲＦＣ（ｔ−１）、ＧＦＣ（ｔ−１）、ＢＦＣ（ｔ−１）とにより定まる、前記一の時刻（ｔ）における、前記第２の処理が施される前の第６の色データＲＦｃｒ（ｔ）、ＧＦｃｒ（ｔ）、ＢＦｃｒ（ｔ）と、
［２ｂ］前記第６の色データＲＦｃｒ（ｔ）、ＧＦｃｒ（ｔ）、ＢＦｃｒ（ｔ）に前記第２の処理が施された結果である第７の色データＲＦｒｆ（ｔ）、ＧＦｒｆ（ｔ）、ＢＦｒｆ（ｔ）と、
［２ｃ］前記第６の色データＲＦｃｒ（ｔ）、ＧＦｃｒ（ｔ）、ＢＦｃｒ（ｔ）と、前記第７の色データＲＦｒｆ（ｔ）、ＧＦｒｆ（ｔ）、ＢＦｒｆ（ｔ）との間での、前記第２の処理に関する補正量ＲＦＣ（ｔ）、ＧＦＣ（ｔ）、ＢＦＣ（ｔ）と、の対応関係を表す複数の対応関係を規定する第２のテーブルと、を記憶しており、
［ＩＩ］前記実行部は、
［１］［１ａ］第１の時刻（ｎ）（ｎ≦ｔ）での第１の色データＲ（ｎ）、Ｇ（ｎ）、Ｂ（ｎ）を構成するための複数の色サブデータＲＳ（ｎ）、ＧＳ（ｎ）、ＢＳ（ｎ）と、
［１ｂ］当該複数の色サブデータＲＳ（ｎ）、ＧＳ（ｎ）、ＢＳ（ｎ）の前記第１の処理のための複数の補正量ＲＳＣ（ｎ）、ＧＳＣ（ｎ）、ＢＳＣ（ｎ）とに基づき、前記第１のテーブルを参照することにより、
［１ｃ］前記第１の時刻（ｎ）における前記第２のデータＲＦ（ｎ）、ＧＦ（ｎ）、ＢＦ（ｎ）を取得し、
［２］［２ａ］前記第１の時刻（ｎ）での、前記第２のデータＲＦ（ｎ）、ＧＦ（ｎ）、ＢＦ（ｎ）と、前記第１の時刻（ｎ）に先立つ第２の時刻（ｎ−１）における誤差ＲＦＣ（ｎ−１）、ＧＦＣ（ｎ−１）、ＢＦＣ（ｎ−１）とにより定める、当該第１の時刻（ｎ）における第６の色データＲＦｃｒ（ｎ）、ＧＦｃｒ（ｎ）、ＢＦｃｒ（ｎ）と、
［２ｂ］当該第１の時刻（ｎ）における、当該第６の色データＲＦｃｒ（ｎ）、ＧＦｃｒ（ｎ）、ＢＦｃｒ（ｎ）に前記第２の処理が施された第７の色データＲＦｒｆ（ｎ）、ＧＦｒｆ（ｎ）、ＢＦｒｆ（ｎ）とに基づき、前記第２のテーブルを参照することにより、
［２ｃ］前記第２の処理に関する補正量ＲＦＣ（ｎ）、ＧＦＣ（ｎ）、ＢＦＣ（ｎ）を取得し、
［３］前記第６の色データＲＦｃｒ（ｎ）、ＧＦｃｒ（ｎ）、ＢＦｃｒ（ｎ）と、前記第２の処理に関する補正量ＲＦＣ（ｎ）、ＧＦＣ（ｎ）、ＢＦＣ（ｎ）とから、前記第２の処理に関する誤差ΔＲ（ｎ）、ΔＧ（ｎ）、ΔＢ（ｎ）を算出し、
［４］前記第６のデータＲＦｃｒ（ｎ）、ＧＦｃｒ（ｎ）、ＢＦｃｒ（ｎ）から、前記補正量ΔＲ（ｎ）、ΔＧ（ｎ）、ΔＢ（ｎ）を減算することにより、第８の色データＲｅｎ（ｎ）、Ｂｅｎ（ｔ）、Ｇｅｎ（ｔ）を算出することを含む。
【０００６】
上記した本発明に係るデータ処理装置によれば、前記強誘電体メモリが、前記第１の処理に関する前記第１のテーブル、及び、前記第２の処理に関する前記第２のテーブルを記憶していることにより、前記実行部は、前記第１の処理が施された結果である前記第２のデータＲＦ（ｎ）、ＧＦ（ｎ）、ＢＦ（ｎ）、及び、前記第２の処理に関する補正量ＲＦＣ（ｎ）、ＧＦＣ（ｎ）、ＢＦＣ（ｎ）を取得することができることから、従来に比して、前記実行部の処理負荷を軽減し、また、前記実行部の処理時間を短縮することが可能となる。
【発明を実施するための最良の形態】
【０００７】
本発明に係るデータ処理装置の実施例について図面を参照して説明する。
【０００８】
《構成》
図１は、実施例のデータ処理装置の構成を示す。実施例のデータ処理装置ＤＰ１は、例えば、プロジェクタであり、従来と同様に、図６（Ａ）に図示の画像ＩＭ１〜ＩＭ５について第１の処理（例えば、フィルタリング）を行い、更に、図７に図示された第２の処理である投射に関する補正を行うべく、図１に示されるように、処理ユニット１と、投射ユニット２と、検出ユニット３とを含む。
【０００９】
データ処理装置ＤＰ１の説明に先立ち、画像ＩＭ１〜ＩＭ５について説明する。画像ＩＭ１〜ＩＭ５は、図６（Ａ）に示されるように、時刻ｔ１〜ｔ５に投射すべき画像であり、各画像は、複数の画素ＰＸからなり、各画素ＰＸは、Ｘ座標及びＹ座標により特定され、例えば、画素ＰＸ（１、１）のように表される。以下、説明及び理解を容易にすべく、画素ＰＸ（１、１）についてのみ説明する。
【００１０】
時刻ｔのときの各画素ＰＸ（１、１）は、図６（Ｂ）に示されるように、色データ、即ち、赤データＲ（ｔ）、緑データＧ（ｔ）、青データＢ（ｔ）からなる。更に、時刻ｔのときの画素ＰＸ（１、１）の各色データＲ（ｔ）、緑データＧ（ｔ）、Ｂ（ｔ）は、基本的には、赤サブデータＲＳ（ｔ）、緑サブデータＧＳ（ｔ）、青サブデータＢＳ（ｔ）を用いた重み付け加算により特定され、同様にして、緑データＧ（ｔ）及び青データＢ（ｔ）もまた、赤サブデータＲＳ（ｔ）、緑サブデータＧＳ（ｔ）、青サブデータＢＳ（ｔ）を用いた重み付け加算により特定される。
【００１１】
以下では、説明及び理解を更に容易にすべく、主に、画素ＰＸ（１、１）の赤データＲ（ｔ）について説明する。換言すれば、画素ＰＸ（１、１）以外の画素ＰＸ（０、０）、ＰＸ（１、０）、．．．については、ＰＸ（１、１）と同様であり、また、赤データＲ（ｔ）以外の緑データＧ（ｔ）及び青データＢ（ｔ）は、赤データＲ（ｔ）と同様である。
【００１２】
図１に戻り、上記した処理ユニット１は、ＭＰＵ１ａと、ＦｅＲＡＭ１ｂと、ＲＡＭ１ｃとを有する。
【００１３】
ＭＰＵ１ａは、プログラム（図示せず。）に従って、画像ＩＭ１〜ＩＭ５に、第１の処理として、フィルタリングを行い、また、第２の処理として、投射に関する補正（以下、「投射補正」という。）を行う。
【００１４】
ＦｅＲＡＭ１ｂは、不揮発性を有し、フィルタリングに関する第１のテーブルＴ１、及び、投射補正に関する第２のテーブルＴ２を記憶している。
【００１５】
より詳しくは、第１のテーブルＴ１は、図２に示されるように、［１ａ］時刻ｔにおける赤サブデータＲＳ（ｔ）、緑サブデータＧＳ（ｔ）、青サブデータＢＳ（ｔ）と、［１ｂ］当該時刻（ｔ）におけるこれら３つのサブデータのフィルタリング補正量である赤サブデータ補正量ＲＳＣ（ｔ）、緑サブデータ補正量ＧＳＣ（ｔ）、青サブデータ補正量ＢＳＣ（ｔ）と、［１ｃ］これら３つのサブデータＲＳ（ｔ）、ＧＳ（ｔ）、ＢＳ（ｔ）、及びこれら３つのサブデータ補正量ＲＳＣ（ｔ）、ＧＳＣ（ｔ）、ＢＳＣ（ｔ）から特定される、前記赤データＲ（ｔ）にフィルタリングを行った結果である赤データＲＦ（ｔ）との対応関係を規定している。前記第１のテーブルＴ１の当該対応関係は、（１）式に基づく。
【００１６】
【数１】
2008233464.tif 000003
【００１７】
第１のテーブルＴ１は、上記したフィルタリングを施した結果である赤データＲＦ（ｔ）に加えて、フィルタリングを施した結果である緑データＧＦ（ｔ）、青データＢＦ（ｔ）についても規定している（図示せず。）。但し、緑データＧＦ（ｔ）、青データＢＦ（ｔ）を得るための赤サブデータＲＳ（ｔ）、緑サブデータＧＳ（ｔ）、青サブデータＢＳ（ｔ）は、赤データＲ（ｔ）を得るためのそれらと同じであるが、緑データＧＦ（ｔ）、青データＢＦ（ｔ）を得るための赤サブデータ補正量ＲＣＳ（ｔ）、緑サブデータ補正量ＧＳＣ（ｔ）、青サブデータ補正量ＢＳＣ（ｔ）の値は、赤データＲＦ（ｔ）を得るときのそれらの値とは、異なる。
【００１８】
第２のテーブルＴ２は、図３に示されるように、基本的に、［２ａ］時刻（ｔ）における、投射を行う前の赤データＲＦｃｒ（ｔ）、正確には、（２）式に示されるように、時刻（ｔ）におけるフィルタリング後の赤データＲＦ（ｔ）とその前の時刻（ｔ−１）における、投射補正の量である赤補正量ＲＦＣ（ｔ−１）との積である赤データＲＦｃｒ（ｔ）と、［２ｂ］当該時刻（ｔ）における投射を行った後の（即ち、検出された）赤データＲＦｒｆ（ｔ）と、［２ｃ］当該時刻（ｔ）における、前記赤データＲＦｃｒ（ｔ）に行うべき投射補正の量である赤補正量ＲＦＣ（ｔ）との対応関係を規定している。
【００１９】
【数２】
2008233464.tif 000004
【００２０】
図１に戻り、ＲＡＭ１ｃは、例えば、ＤＲＡＭ又はＳＲＡＭであり、ＭＰＵ１ａが、前記プログラムを実行する上で必要なデータ（例えば、画像ＩＭ１〜ＩＭ５の赤データＲ（ｔ）、緑データＧ（ｔ）、青データＢ（ｔ）等）を一時的に記憶し、また、当該プログラムの実行の結果であるデータ（例えば、第１のテーブルＴ１を参照して得られた赤データＲＦ（ｔ）、第２のテーブルＴ２を参照して得られた赤補正量ＲＦＣ（ｔ））を一時的に記憶するために用いられる。
【００２１】
上記した投射ユニット２は、投射部２ａを有する。投射部２ａは、図７に示されるスクリーンＳに、時刻ｔ１〜ｔ５での画素ＰＸ（１、１）における赤データＲＦｃｒ（ｔ）、即ち、（１）式及び（２）式により得られた赤データＲＦｃｒ（ｔ）を投射する。
【００２２】
検出ユニット３は、検出部３ａを有する。検出部３ａは、図７に示されるように、従来と同様に、画素ＰＸ（１、１）の赤データＲＦｃｒ（ｔ）のスクリーンＳへの投射の結果として反射される、赤データＲＦｒｆ（ｔ）を検出する。
【００２３】
《動作》
図４は、実施例のデータ処理装置の動作を示すフローチャートである。以下、実施例のデータ処理装置ＤＰ１について、図４のフローチャートに沿って説明する。以下では、説明及び理解を容易にすべく、現時刻が、図６に図示の時刻ｔ１〜ｔ５のうち、時刻ｔ５であることを想定する。
【００２４】
ステップＳ１：ＭＰＵ１ａは、ＲＡＭ１ｃに記憶されている、時刻ｔ５における、即ち、画像ＩＭ５中の画素ＰＸ（１、１）の赤データＲ（ｔ５）について、当該赤データＲ（ｔ５）を構成する赤サブデータＲＳ（ｔ５）、緑サブデータＧＳ（ｔ５）、青サブデータＢＳ（ｔ５）を読み出し、また、ＲＡＭ１ｃに記憶されている又は外部から与えられる、これら３つのサブデータＲＳ（ｔ５）、ＧＳ（ｔ５）、ＢＳ（ｔ５）の補正量ＲＳＣ（ｔ５）、ＧＳＣ（ｔ５）、ＢＳＣ（ｔ５）を読み出し又は受け取る。
【００２５】
ＭＰＵ１ａは、上記取得された３つの色サブデータＲＳ（ｔ５）〜ＢＳ（ｔ５）及び３つの色サブデータ補正量ＲＳＣ（ｔ５）〜ＢＳＣ（ｔ５）に基づき、ＦｅＲＡＭ１ｂに記憶されている、図２に図示の、（１）式の内容を規定している第１のテーブルＴ１を参照する。これにより、ＭＰＵ１ａは、時刻ｔ５における、フィルタリングが施された結果である赤データＲＦ（ｔ５）を取得する。
【００２６】
この結果、ＭＰＵ１ａは、例えば、図２に図示の第１のテーブルＴ１の２行めに示されるように、赤サブデータＲＳ（ｔ５）＝ＲＳ１、赤サブデータ補正量ＲＳＣ（ｔ５）＝ＲＣ０、緑サブデータＧＳ（ｔ５）＝ＧＳ０、緑サブデータ補正量ＧＳＣ（ｔ５）＝ＧＣ０、青サブデータＢＳ（ｔ５）＝ＢＳ０、青サブデータ補正量ＢＳＣ（ｔ５）＝ＢＣ０であるとき、赤データＲＦ（ｔ５）として、ＲＦ１００を取得する。
【００２７】
ステップＳ２：ＭＰＵ１ａは、図３に図示された、投射補正を行う前の赤データＲＦｃｒ（ｔ５）、即ち、投射部２ａにより投射させるべき赤データＲＦｃｒ（ｔ５）を生成すべく、（２）式に従って、時刻ｔ５における、前記フィルタリングを行った後の赤データＲＦ（ｔ５）と、時刻ｔ５に先立つ時刻ｔ４における赤補正量ＲＦＣ（ｔ４）とを乗算する。ＭＰＵ１ａは、これにより、例えば、図３に図示の第２のテーブルＴ２中の２行めに示されるように、第２の処理前の赤データＲＦｃｒ（ｔ５）として、ＲＦｃｒ１を取得する。同様にして、投射補正を行う前の緑データＧＦｃｒ（ｔ５）及び投射補正を行う前の青データＢＦｃｒ（ｔ５）を取得する。
【００２８】
更に、投射部２ａは、図７に図示のスクリーンＳに前記赤データＲＦｃｒ（ｔ５）を投射し、検出部３ａは、スクリーンＳにより反射された赤データＲＦｃｒ（ｔ５）を検出する。同様にして、投射部２ａは、緑データＧＦｃｒ（ｔ５）及び青データＢＦｃｒ（ｔ５）をスクリーンＳに投射し、検出部３ａは、スクリーンＳにより反射された緑データＧＦｃｒ（ｔ５）及び青データＢＦｃｒ（ｔ５）を検出する。
【００２９】
ステップＳ３：ＭＰＵ１ａは、前記投射部２ａにより投射された赤データＲＦｃｒ（ｔ５）、及び、前記検出部３ａにより検出された赤データＲＦｒｆ（ｔ５）に基づき、ＦｅＲＡＭ１ｂに記憶されている、図３に図示の、（３）式の内容を規定している第２のテーブルＴ２を参照する。これにより、ＭＰＵ１ａは、時刻ｔ５のときの赤補正量ＲＦＣ（ｔ５）を取得する。ＭＰＵ１ａは、例えば、図３の３行めに示されるように、投射した赤データＲＦｃｒ（ｔ５）＝ＲＦｃｒ２、検出した赤データＲＦｒｆ（ｔ５）＝ＲＦｒｆ０であるとき、赤補正量ＲＦＣ（ｔ５）として、ＲＦＣ２０を取得する。
【００３０】
ＭＰＵ１ａは、同様に、投射した緑データＧＦｃｒ（ｔ５）及び検出した緑データＧＦｃｒ（ｔ５）に基づき第２のテーブルＴ２を参照することにより、緑補正量ＧＦＣ（ｔ５）を取得し、また、投射した青データＢＦｃｒ（ｔ５）及び検出した青データＢＦｃｒ（ｔ５）に基づき第２のテーブルＴ２を参照することにより、青補正量ＢＦＣ（ｔ５）を取得する。
【００３１】
【数３】
2008233464.tif 000005
【００３２】
ステップＳ４：ＭＰＵ１ａは、投射した赤データＲＦｃｒ（ｔ５）、緑データＧＦｃｒ（ｔ５）、青データＢＦｃｒ（ｔ５）、及び、赤補正量ＲＦＣ（ｔ５）、緑補正量ＧＦＣ（ｔ５）、青補正量ＢＦＣ（ｔ５）を用いて、（４）式により、投射補正の量である赤投射補正量ΔＲ（ｔ５）を算出する。ＭＰＵ１ａは、同様にして、緑投射補正量ΔＧ（ｔ５）及び青投射補正量ΔＢ（ｔ５）を算出する。
【００３３】
【数４】
2008233464.tif 000006
【００３４】
ステップＳ５：ＭＰＵ１ａは、前記投射した赤データＲＦｃｒ（ｔ５）、及び、前記算出された赤投射補正量ΔＲ（ｔ５）を用いて、（５）式より、最終的な赤データＲｅｎ（ｔ５）を算出する。ＭＰＵ１ａは、同様にして、最終的な緑データＧｅｎ（ｔ５）及び青データＢｅｎ（ｔ５）を算出する。
【００３５】
【数５】
2008233464.tif 000007
【００３６】
《効果》
上記したように、実施例のデータ処理装置ＤＰ１では、ＦｅＲＡＭ１ｂが、第１のテーブルＴ１及び第２のテーブルＴ２を記憶しており、ＭＰＵ１ａが、フィルタリングについては、第１のテーブルＴ１を参照することにより、赤データＲＦ（ｔ）を取得し、また、投射補正については、第２のテーブルＴ２を参照することにより、最終的な赤データＲｅｎ（ｔ）を取得することにより、ＭＰＵ１ａは、フィルタリングに関する演算処理及び投射補正に関する演算処理を行う必要が無いことから、従来に比して、ＭＰＵ１ａが担うべき処理の負荷を軽減し、また、その処理時間を短縮することが可能となる。
【００３７】
上記した「投射」に代えて、例えば、「印刷」及び「表示」のような他の形式での出力によっても、上記したと同様な効果を得ることができる。
【図面の簡単な説明】
【００３８】
【図１】実施例のデータ処理装置の構成を示す図。
【図２】実施例の第１のテーブルの内容を示す図。
【図３】実施例の第２のテーブルの内容を示す図。
【図４】実施例のデータ処理装置の動作を示すフローチャート。
【図５】従来のデータ処理装置の構成を示す図。
【図６】従来の画像を示す図。
【図７】従来の投射を示す図。
【符号の説明】
【００３９】
ＤＰ１…データ処理装置、１…処理ユニット、１ａ…ＭＰＵ、１ｂ…ＦｅＲＡＭ、Ｔ１…第１のテーブル、Ｔ２…第２のテーブル、１ｃ…ＲＡＭ、２…投射ユニット、２ａ…投射部、３…検出ユニット、３ａ…検出部。
【図１】
2008233464.tif 000008
【図２】
2008233464.tif 000009
【図３】
2008233464.tif 000010
【図４】
2008233464.tif 000011
【図５】
2008233464.tif 000012
【図６】
2008233464.tif 000013
【図７】
2008233464.tif 000014